(57)【要約】通信装置は、受信機、調整可能なクロック信号発生器、デジタルカメラ、及びプロセッサを含むことができる。上記受信機は、複数の周波数チャネルを用いて、エアインタフェースを介して通信信号を受信するように構成することができる。上記調整可能なクロック信号発生器は、調整入力信号に応じて調整可能なクロック信号を発生するように構成することができる。上記デジタルカメラは、デジタル画像をキャプチャして、上記調整可能なクロック信号に応じて動作するように構成することができる。上記プロセッサは、上記受信機、上記調整可能なクロック信号発生器、及び上記デジタルカメラに結合することができる。さらに、上記プロセッサは、通信信号を受信する可能性がある複数の周波数チャネルのうちの少なくとも１つの周波数チャネルを決定し、上記通信信号を受信する可能性がある複数の周波数チャネルのうちの上記少なくとも１つの周波数チャネルの決定に応じて、上記調整可能なクロック信号発生器に対して調整入力信号を発生するように構成することができる。関連する方法についても説明する。
2009500930.tif 000002
【特許請求の範囲】
【請求項１】
通信装置であって、
複数の周波数チャネルを用いて、エアインタフェースを介して通信信号を受信するように構成された受信機と、
調整入力信号に応じて変動する周波数を有する調整可能なクロック信号を発生するように構成された調整可能なクロック信号発生器と、
デジタル画像をキャプチャするように構成されたデジタルカメラであって、前記調整可能なクロック信号に応じて動作するように構成されたデジタルカメラと、
前記受信機と、前記調整可能なクロック信号発生器と、前記デジタルカメラとに結合されたプロセッサと、
を含む通信装置であって、
前記プロセッサは、通信信号を受信する可能性がある前記複数の周波数チャネルのうちの少なくとも１つの周波数チャネルを決定するように構成され、かつ、通信信号を受信する可能性がある前記複数の周波数チャネルのうちの前記少なくとも１つの周波数チャネルの決定に応じて、前記調整可能なクロック信号発生器に対して前記調整入力信号を発生するように構成されたことを特徴とする通信装置。
【請求項２】
前記調整可能なクロック信号発生器は電圧制御発振器を備えていることを特徴とする請求項１に記載の通信装置。
【請求項３】
前記プロセッサは、前記複数の周波数チャネルのうちの前記少なくとも１つの周波数チャネルを示す識別子を、前記受信機を介して基地局から受信するように構成されていることを特徴とする請求項１又は２に記載の通信装置。
【請求項４】
前記プロセッサは、通信信号を受信する可能性がある前記複数の周波数チャネルのうちの前記少なくとも１つの周波数チャネルに関して前記デジタルカメラからの干渉を低減するために、前記調整可能なクロック信号発生器に対して前記調整入力信号を発生するように構成されていることを特徴とする請求項１ないし３のいずれか１項に記載の通信装置。
【請求項５】
前記プロセッサは、第１の時刻に通信信号を受信する可能性がある第１の周波数チャネルを決定するように構成され、かつ、該第１の周波数チャネルの決定に応じて、前記調整可能なクロック信号発生器に対して第１の調整入力信号を発生するように構成され、さらに、第２の時刻に通信信号を受信する可能性がある第２の周波数チャネルを決定するように構成され、該第２の周波数チャネルの決定に応じて、前記調整可能なクロック信号発生器に対して第２の調整入力信号を発生するように構成されており、前記第１及び第２の周波数チャネルは異なるものであり、かつ、前記第１及び第２の調整入力信号は異なるものであることを特徴とする請求項１ないし４のいずれか１項に記載の通信装置。
【請求項６】
前記調整可能なクロック信号発生器は、第１の周波数を有する第１の調整可能なクロック信号を前記第１の調整入力信号に応じて発生するように構成され、かつ、第２の周波数を有する第２の調整可能なクロック信号を前記第２の調整入力信号に応じて発生するように構成されており、前記第１及び第２の周波数は異なるものであることを特徴とする請求項５に記載の通信装置。
【請求項７】
前記デジタルカメラは、前記調整可能なクロック信号に応じてカメラ用クロック信号を発生するように構成されるカメラ用クロック信号発生器を含むことを特徴とする請求項１ないし６のいずれか１項に記載の通信装置。
【請求項８】
前記カメラ用クロック信号発生器は位相ロックループ（ＰＬＬ）を備えることを特徴とする請求項７に記載の通信装置。
【請求項９】
前記カメラ用クロック信号の周波数は、前記調整可能なクロック信号の周波数よりも大きいことを特徴とする請求項７又は８に記載の通信装置。
【請求項１０】
前記デジタルカメラは、前記クロック信号発生器に結合されたデジタル信号プロセッサと、該デジタル信号プロセッサに結合された光学センサとを含み、該光学センサは、光学像を電気信号に変換するように構成され、かつ、前記デジタル信号プロセッサは、前記カメラ用クロック信号を用いて前記電気信号を処理するように構成されていることを特徴とする請求項７ないし９のいずれか１項に記載の通信装置。
【請求項１１】
前記プロセッサに結合された送信機をさらに備えた通信装置であって、
前記送信機は、前記エアインタフェースを介して通信信号を送信するように構成され、かつ、前記プロセッサは、前記エアインタフェースを介して送受信される前記通信を処理するように構成されていることを特徴とする請求項１ないし１０のいずれか１項に記載の通信装置。
【請求項１２】
デジタル画像をキャプチャするように構成されたデジタルカメラと、複数の周波数帯域を用いてエアインタフェースを介して通信信号を受信するように構成された受信機とを含む通信装置を動作させる方法であって、
前記方法は、
通信信号を受信する可能性がある前記複数の周波数チャネルのうちの少なくとも１つの周波数チャネルを決定するステップと、
通信信号を受信する可能性がある前記複数の周波数チャネルのうちの前記少なくとも１つの周波数チャネルの決定に応じて調整可能なクロック信号を発生するステップと、
前記調整可能なクロック信号を用いて前記デジタルカメラを動作させるステップと、
を含むことを特徴とする方法。
【請求項１３】
前記調整可能なクロック信号を発生するステップは、
調整可能なクロック信号入力を発生するステップと、
電圧制御発振器への調整可能なクロック信号入力を提供するステップと
を含むことを特徴とする請求項１２に記載の方法。
【請求項１４】
通信信号を受信する可能性がある前記複数の周波数チャネルのうちの少なくとも１つの周波数チャネルを決定するステップは、前記複数の周波数チャネルのうちの前記少なくとも１つの周波数チャネルの識別子を、前記受信機を介して基地局から受信するステップを含むことを特徴とする請求項１２又は１３に記載の方法。
【請求項１５】
前記調整可能なクロック信号を発生するステップは、通信信号を受信する可能性がある前記複数の周波数チャネルのうちの前記少なくとも１つの周波数チャネルに関して前記デジタルカメラからの干渉を低減するために前記調整可能なクロック信号を発生するステップを備えることを特徴とする請求項１２ないし１４のいずれか１項に記載の方法。
【請求項１６】
前記複数の周波数チャネルのうちの前記少なくとも１つの周波数チャネルを決定するステップは、
第１の時刻に通信信号を受信する可能性がある第１の周波数チャネルを決定するステップと、
第２の時刻に通信信号を受信する可能性がある第２の周波数チャネルを決定するステップと
を備え、
前記調整可能なクロック信号を発生するステップは、
第１の周波数を有する第１の調整可能なクロック信号を前記第１の時刻に発生するステップと、
第２の周波数を有する第２の調整可能なクロック信号を前記第２の時刻に発生するステップと
を備え、
前記第１及び第２の周波数は異なるものであることを特徴とする請求項１２ないし１５のいずれか１項に記載の方法。
【請求項１７】
前記デジタルカメラを動作させるステップは、前記調整可能なクロック信号に応じてカメラ用クロック信号を発生するステップを備えていることを特徴とする請求項１２ないし１６のいずれか１項に記載の方法。
【請求項１８】
前記カメラ用クロック信号を発生するステップは、位相ロックループ（ＰＬＬ）を用いてカメラ用クロック信号を発生するステップを備えていることを特徴とする請求項１７に記載の方法。
【請求項１９】
前記カメラ用クロック信号の周波数は、前記調整可能なクロック信号の周波数よりも大きいものであることを特徴とする請求項１７又は１８に記載の方法。
【請求項２０】
前記デジタルカメラを動作させるステップは、光学像を電気信号に変換し、前記カメラ用クロック信号を用いて前記電気信号を処理するステップを備えていることを特徴とする請求項１７ないし１９のいずれか１項に記載の方法。
【請求項２１】
前記エアインタフェースを介して通信信号を送信するステップをさらに含むことを特徴とする請求項１２ないし２０のいずれか１項に記載の方法。
【請求項２２】
通信装置であって、
エアインタフェースを介して通信信号を受信するように構成された受信機と、
デジタル画像をキャプチャするように構成されたデジタルカメラであって、周波数調整入力信号に応じて異なる周波数で動作するように構成されたデジタルカメラと、
前記受信機及び前記デジタルカメラと結合されるプロセッサと、
を含む通信装置であって、
前記プロセッサは、前記受信機を介して受信された通信を処理するように構成され、かつ、前記プロセッサは、第１の周波数で前記デジタルカメラが動作するように第１の周波数調整入力信号を発生するように構成され、さらに、前記第１の周波数調整入力信号の発生後、前記プロセッサは、第２の周波数で前記デジタルカメラが動作するように第２の周波数調整入力信号を発生するように構成されており、前記第１及び第２の周波数は異なるものであることを特徴とする通信装置。
【発明の詳細な説明】
【技術分野】
【０００１】
本発明は電子装置の分野に関し、特に、一体型デジタルカメラを含む通信装置及び関連する方法に関する。
【背景技術】
【０００２】
セルラ無線電話機の中へデジタルカメラを一体化することが普通になっている。典型的には、デジタルカメラの機能用チップセットが、無線電話の機能を提供する部品から分離された形で提供される。さらに詳細には、デジタルカメラの機能用デジタル信号プロセッサ（ＤＳＰ）が、カメラ／電話機の別の機能の提供及び／又は調整を行う中央演算処理装置ユニット（ＣＰＵ）から分離された形で提供される場合もある。
【０００３】
さらに、カメラ付き携帯電話機用のシステムクロックが、無線電話用ＣＰＵと、デジタルカメラと、送受信機とにより使用されるシステムクロック信号（１３ＭＨｚのクロック信号など）を提供することができる。カメラ用チップセットは位相ロックループ（ＰＬＬ）を含むものであってもよく、この位相ロックループは、システムクロック信号を用いて、さらに高い周波数（例：ほぼ１００ＭＨｚの周波数）のカメラ用クロック信号を発生することができ、このカメラ用クロック信号を用いて、カメラ用ＤＳＰ及び／又はデジタルカメラの光学センサを動作させることができる。
【０００４】
しかしながら、上記カメラ用クロック信号には、無線電話送受信機で受信される無線電話周波数に干渉する高調波成分が含まれる場合がある。例えば、ＧＳＭ無線電話では、無線電話送受信機は１８５０ＭＨｚ〜１９１０ＭＨｚの範囲の周波数で基地局へ通信信号を送信することができ、そして、この無線電話送受信機は１９３０ＭＨｚ〜１９９０ＭＨｚの範囲の周波数で基地局から通信信号を受信することができる。さらに詳細には、このカメラ用クロック信号の高調波成分が、無線電話送受信機において１９３０ＭＨｚ〜１９９０ＭＨｚの範囲の周波数で通信の受信に干渉する場合がある。
【０００５】
従って、電磁気シールドを用いて、カメラ用クロック信号が発生する干渉から無線電話送受信機を遮蔽することができる。例えば、遮蔽された容器内にデジタルカメラの機能用チップセットを設けることができる。しかし、デジタルカメラの機能用チップセットの周りに十分なシールドを設けることが困難な場合もある。なぜなら、チップセットを完全に取り囲むことができない場合もあるからである。例えば、少なくともデジタルカメラのレンズは、その動作を可能にするために電磁気シールドの中に開口部を必要とすることが考えられる。
【０００６】
代替の方法では、中央演算処理装置は、デジタルカメラの使用中に無線電話通信の動作をブロックすることができるし、及び／又は、中央演算処理装置は、無線電話機能による通信中にデジタルカメラの動作をブロックすることができる。しかしながら、この代替方法は、カメラの動作及び／又は無線電話の機能を望ましくない形で制限することになる場合がある。さらに、カメラの使用は、（無線電話の着信、テキストメッセージ、ＳＭＳメッセージなどのような）他の人が開始した通信の失敗、及び／又は、ローミング及び／又はロケーション（位置情報）の更新の失敗を招く場合がある。
【０００７】
従って、一体型カメラ／電話装置におけるデジタルカメラと送受信機間の干渉を低減する改善された方法及びシステムに対する要望が当業において存在し続けることになる。
【発明の開示】
【課題を解決するための手段】
【０００８】
本発明のいくつかの実施例によれば、通信装置が、受信機、調整可能なクロック信号発生器、デジタルカメラ、及び中央演算処理装置を含むことができる。上記受信機は、複数の周波数チャネルを用いて、エアインタフェースを介して通信信号を受信するように構成することができ、そして、上記調整可能なクロック信号発生器は、調整入力信号に応じて調整可能なクロック信号を発生するように構成することができる。上記デジタルカメラは、デジタル画像をキャプチャし、上記調整可能なクロック信号に応じて動作するように構成することができる。上記中央演算処理装置は、上記受信機と、上記調整可能なクロック信号発生器と、上記デジタルカメラとに結合することができる。さらに、上記中央演算処理装置は、通信信号を受信する可能性がある複数の周波数チャネルのうちの少なくとも１つの周波数チャネルを決定するように構成することができ、そして、通信信号を受信する可能性がある上記複数の周波数チャネルのうちの上記少なくとも１つの周波数チャネルの決定に応じて、上記調整可能なクロック信号発生器に対して調整入力信号を発生するように構成することができる。
【０００９】
さらに詳細には、上記調整可能なクロック信号発生器は電圧制御発振器を含むことができ、及び／又は、上記中央演算処理装置は、上記複数の周波数チャネルのうちの上記少なくとも１つの周波数チャネルの識別子を上記受信機を介して基地局から受信するように構成することができる。上記中央演算処理装置は、また、通信信号を受信する可能性がある上記複数の周波数チャネルのうちの上記少なくとも１つの周波数チャネルに関してデジタルカメラからの干渉を低減するために、調整可能なクロック信号発生器に対して調整入力信号を発生するように構成することもできる。
【００１０】
上記中央演算処理装置は、第１の時刻に通信信号を受信する可能性がある第１の周波数チャネルを決定し、この第１の周波数チャネルの決定に応じて、調整可能なクロック信号発生器に対して第１の調整入力信号を発生するように構成することができる。上記中央演算処理装置は、第２の時刻に通信信号を受信する可能性がある第２の周波数チャネルを決定し、この第２の周波数チャネルの決定に応じて、調整可能なクロック信号発生器に対して第２の調整入力信号を発生するように構成することができる。さらに、これら第１及び第２の周波数チャネルは異なるものであってもよい。そして、これら第１及び第２の調整入力信号は異なるものであってもよい。さらに詳細には、上記調整可能なクロック信号発生器は、第１の周波数を有する第１の調整可能なクロック信号を上記第１の調整入力信号に応じて発生させ、第２の周波数を有する第２の調整可能なクロック信号を上記第２の調整入力信号に応じて発生させるように構成することができる。そして、これら第１及び第２の周波数は異なるものであってもよい。
【００１１】
デジタルカメラは、上記調整可能なクロック信号に応じてカメラ用クロック信号を発生するように構成されるカメラ用クロック信号発生器を含むことができる。そして上記カメラ用クロック信号発生器は位相ロックループ（ＰＬＬ）であってもよい。さらに、上記カメラ用クロック信号の周波数は、上記調整可能なクロック信号の周波数よりも大きいものであってもよい。さらに、デジタルカメラは、上記クロック信号発生器に結合されたデジタル信号プロセッサと、このデジタル信号プロセッサに結合された光学センサとを含むことができる。この光学センサは、光学像を電気信号に変換するように構成することができる。そして、上記デジタル信号プロセッサは、上記カメラ用クロック信号を用いて電気信号を処理するように構成することができる。上記通信装置は、上記中央演算処理装置と結合された送信機も含むことができ、この送信機は、エアインタフェースを介して通信信号を送信するように構成することができる。そして、上記中央演算処理装置は、エアインタフェースを介して送受信される通信を処理するように構成することができる。
【００１２】
本発明の別の実施例によれば、デジタル画像をキャプチャするように構成されるデジタルカメラと、複数の周波数帯域を用いて、エアインタフェースを介して通信信号を受信するように構成される受信機とを含む通信装置を動作させる方法を提供することができる。通信信号を受信する可能性がある複数の周波数チャネルのうちの少なくとも１つの周波数チャネルを決定することができ、そして、通信信号を受信する可能性がある上記複数の周波数チャネルのうちの上記少なくとも１つの周波数チャネルの決定に応じて調整可能なクロック信号を発生することができる。従って、この調整可能なクロック信号を用いて上記デジタルカメラを動作させることができるようになる。
【００１３】
上記調整可能なクロック信号を発生するステップは、調整可能なクロック信号入力を発生するステップと、電圧制御発振器への調整可能なクロック信号入力を提供するステップとを含むことができる。さらに、通信信号を受信する可能性がある上記複数の周波数チャネルのうちの少なくとも１つの周波数チャネルを決定するステップは、複数の周波数チャネルのうちの上記少なくとも１つの周波数チャネルの識別子を受信機を介して基地局から受信するステップを含むことができる。さらに、上記調整可能なクロック信号を発生するステップは、通信信号を受信する可能性がある上記複数の周波数チャネルのうちの上記少なくとも１つの周波数チャネルに関して上記デジタルカメラからの干渉を低減するために調整可能なクロック信号を発生するステップを含むことができる。
【００１４】
上記複数の周波数チャネルのうちの上記少なくとも１つの周波数チャネルを決定するステップは、第１の時刻に通信信号を受信する可能性がある第１の周波数チャネルを決定するステップと、第２の時刻に通信信号を受信する可能性がある第２の周波数チャネルを決定するステップとを含むことができる。さらに、上記調整可能なクロック信号を発生するステップは、第１の周波数を有する第１の調整可能なクロック信号を第１の時刻に発生するステップと、第２の周波数を有する第２の調整可能なクロック信号を第２の時刻に発生するステップとを含むことができる。さらに、これら第１及び第２の周波数は異なるものであってもよい。
【００１５】
上記デジタルカメラを動作させるステップは、上記調整可能なクロック信号に応じてカメラ用クロック信号を発生するステップを含むことができる。例えば、位相ロックループ（ＰＬＬ）を用いてカメラ用クロック信号を発生することができる。さらに、上記カメラ用クロック信号の周波数は、上記調整可能なクロック信号の周波数よりも大きい（高い）ものであってもよい。さらに、上記デジタルカメラを動作させるステップは、光学像を電気信号に変換するステップと、カメラ用クロック信号を用いて電気信号を処理するステップとを含むことができる。さらに、エアインタフェースを介して通信装置から通信信号を送信することができる。
【００１６】
本発明のさらに追加の実施例によれば、通信装置が、受信機とデジタルカメラ、及び、これら受信機とデジタルカメラとに結合された中央演算処理装置を含むことができる。上記受信機は、エアインタフェースを介して通信信号を受信するように構成することができ、そして、上記デジタルカメラは、デジタル画像をキャプチャし、周波数調整入力信号に応じて異なる周波数で動作するように構成することができる。上記中央演算処理装置は、上記受信機を介して受信された通信を処理し、上記デジタルカメラが第１の周波数で動作するように第１の周波数調整入力信号を発生するように構成することができる。上記第１の周波数調整入力信号の発生後、上記中央演算処理装置は、上記デジタルカメラが第２の周波数で動作するように第２の周波数調整入力信号を発生するように構成することができる。さらに、これら第１及び第２の周波数は異なるものであってもよい。
【発明を実施するための最良の形態】
【００１７】
次に添付図面を参照しながら本発明の特定の実施例について説明する。しかしながら、本発明は、各種多数の形式で組み込むことが可能であり、本発明はここに説明される実施例に限定されるものと解釈してはならない。むしろ、これらの実施例を提供することによって、本開示を十分かつ完全なものとし、本発明の範囲を当業者に対して十分に伝えることを意図するものである。図面において、類似の参照番号は類似の要素を示している。１つの要素が別の要素と「接続される」又は「結合される」と記載されている場合、この要素は、別の要素と直接的に接続又は結合することができる、あるいは、中間に介在する要素が存在してもよいことは理解できよう。さらに、ここで使用されているような「接続される」又は「結合される」という記載は無線での接続又は結合を含みうるものである。
【００１８】
ここで使用されている用語は、特定の実施例について単に説明することを目的とするものであり、本発明の限定を意図するものではない。明示的に別段の定めをした場合を除き、ここで使用されているように、単数形を示す「ａ」、「ａｎ」及び「ｔｈｅ」は複数形も同様に含むことを意図するものである。「を含む（includes）」、「を備える（comprises）」、「を含んでいる（including）」及び／又は「を備えている（comprising）」という用語は、本明細書で使用される場合、上述の特徴、整数、ステップ、処理、要素及び／又は構成要素の存在を指定する用語であるが、１つ以上の他の特徴、整数、ステップ、処理、要素及び／又はこれらのグループの存在又は追加を除外するものではないこともさらに理解されたい。
【００１９】
別段の定めがない限り、ここで使用されている（技術的及び科学的用語を含む）すべての用語は、本発明が属している技術分野の一般の当業者によって共通に理解されている用語と同じ意味を有するものとする。一般に使用されている辞書に定義されているような用語は、関連する技術分野の文脈における意味と一致する意味を有するものと解釈すべきであること、また、本明細書で明示的に別段の定めがない限り、理想化した意味に解釈したり、あまりにも形式的な意味に解釈したりすべきではないこともさらに理解されたい。
【００２０】
「第１の」及び「第２の」という用語は、種々の要素について説明するためにここで使用されている用語ではあるが、これらの用語によってこれらの要素が制限されるべきではないことは理解できよう。これらの用語は単に１つの要素を別の要素と区別するために使用されているにすぎない。従って、本発明の教示から逸脱することなく、下記の第１の周波数が第２の周波数と命名される場合もあれば、同様に、第２の周波数が第１の周波数と命名される場合もある。本願明細書で使用されているように、「及び／又は（and/or)」という用語は、１つ以上の関連づけられ、リストされた項目の任意の、及び、すべての組み合わせを含むものである。記号「／」は「及び／又は（and/or)」を表す省略表記としても使用される。
【００２１】
本発明の種々の実施例に準拠する方法、装置及びコンピュータプログラム製品を示すブロック図及び／又は（フローチャートなどの）処理図を参照しながら、本発明の種々の実施例について以下説明する。ブロック図及び／又は処理図の個々のブロック並びにブロック図及び／又は処理図内のブロックの組み合わせは、アナログ及び／又はデジタルのハードウェア及び／又はコンピュータプログラム命令によって実現が可能であることは理解できよう。汎用コンピュータのプロセッサ、専用コンピュータ、ＡＳＩＣ及び／又は別のプログラム可能なデータ処理装置へこれらのコンピュータプログラム命令を提供して、コンピュータのプロセッサ及び／又は他のプログラム可能なデータ処理装置を介して実行する命令によって、ブロック図及び／又は処理図で指定する機能／行動を生みだすようにすることができる。従って、ブロック図及び処理図は、装置、方法及びコンピュータプログラム製品をサポートするものであることは理解できよう。
【００２２】
本発明の実施例に準拠する通信装置が図１に示されている。図１に示すように、通信装置１０１は、（中央演算処理装置ユニットすなわちＣＰＵのような）中央演算処理装置１０３、送受信機（トランシーバ）１０５、デジタルカメラ１０７、ユーザインタフェース１０９、固定周波数クロック信号発生器１１１、及び調整可能なクロック信号発生器１１３を含むことができる。送受信機１０５は、アンテナ１２５に結合された送信機１２１及び受信機１２３を含むことができる。デジタルカメラ１０７は、光学センサ１３１、デジタル信号プロセッサ１３３、カメラ用クロック信号発生器１３５を含むことができる。そして、ユーザインタフェース１０９は、ディスプレイ１４１、スピーカ１４３、マイク１４５、キーパッド１４７を含むことができる。さらに詳細には、調整可能なクロック信号発生器１１３は電圧制御発振器（ＶＣＯ）であってもよく、また、カメラ用クロック信号発生器１３５は位相ロックループ（ＰＬＬ）であってもよい。
【００２３】
従って、中央制御装置１０３及び送受信機１０５が動作して、固定周波数クロック信号発生器１１１が発生するシステムクロック信号を用いて、エアインタフェースを介して無線通信信号の送信及び／又は受信を行うことができるようになる。例えば、システムクロック信号は約１３ＭＨｚの周波数を有することができる。さらに詳細には、送信機１２１は、エアインタフェースにおける複数あるアップリンク周波数チャネルのうちの１つのアップリンク周波数チャネルを用いて、中央演算処理装置１０３が発生させた通信信号を送信するように構成することができる。そして、受信機１２３は、エアインタフェースの複数のダウンリンク周波数チャネルのうちの１つのダウンリンク周波数チャネルを用いて通信信号を受信するように構成することができる。例えば、ＧＳＭエアインタフェースは、約１８５０ＭＨｚ〜約１９１０ＭＨｚの範囲のアップリンク周波数帯域を介して（モバイル端末から基地局へ送信するための）複数の１ｋＨｚ幅のアップリンク周波数チャネル、並びに、約１９３０ＭＨｚ〜約１９９０ＭＨｚの範囲のダウンリンク周波数帯域を介して（基地局からモバイル端末へ送信するための）複数の１ｋＨｚ幅のダウンリンク周波数チャネルを提供することができる。
【００２４】
セルラ通信ネットワークでは、複数の固定無線電話基地局が、それぞれの（セルとも呼ばれる）地理上のエリアに対して通信を提供することができる。周波数再使用パターンにしたがって隣接する基地局に異なるアップリンク及びダウンリンク周波数チャネルを割り当てることで、基地局間での干渉を低減することができ、通信ネットワークの容量を増やすことが可能となる。従って、対応するそれぞれの地理上のエリアにおいてモバイル端末へ送信するためのサブセット（補集合）のダウンリンク周波数チャネルと、モバイル端末から受信するためのサブセットのアップリンク周波数チャネルとを個々の基地局に割り当てることが可能となる。個々の基地局は、該基地局が使用しているアップリンク及びダウンリンク周波数チャネルのサブセットを識別しながら、それぞれの地理上のエリア内で制御情報を送信することができる。上記方法に加えて、あるいは、代替の方法で、基地局は、通信リンクが確立されると、アップリンク及びダウンリンク周波数チャネルを通信装置１０１に割り当てることができる。
【００２５】
制御情報を受信する地理上のエリア内での通信装置の送受信機は、このようにして（単数又は複数の）適切なアップリンク及び／又はダウンリンク周波数チャネル及び／又は（単数又は複数の）適切な制御周波数チャネルに調整することができる。従って、通信装置１０１の中央演算処理装置１０３は、使用される可能性がある特定の周波数チャネルを決定することができるようになり、そして、通信装置１０１が１つの基地局から別の基地局へ移動するにつれて、使用される可能性があるこれら特定の周波数チャネルは変化することになる。さらに詳細には、制御演算処理装置１０３は、受信機１２３で受信用として使用される可能性がある１つ又は複数のダウンリンク周波数及び／又は制御チャネルを決定することができる。
【００２６】
例えば、無線電話による音声通信中に、特別のアップリンク周波数チャネル及び特別のダウンリンク周波数チャネルを通信装置１０１に割り当てることができる。マイク１４５により発生した音声信号は、中央演算処理装置１０３により処理され、割り当てられたアップリンク周波数チャネル上で送信機１２１及びアンテナ１２５を用いて送信することができる。アンテナ１２５及び受信機１２３を用いて、割り当てられたダウンリンク周波数チャネルで遠隔地の通話相手からの音声情報を受信し、中央演算処理装置１０３を用いてこの音声情報を処理し、スピーカ１４３でこの音声情報を出力することができる。上記方法に加えて、あるいは、代替の方法で、（ＳＭＳメッセージのような）テキストメッセージの送信及び／又は受信を行うことができ、及び／又は、ネットワークの閲覧を行うことができる。さらに、（単数又は複数の）ダウンリンク制御周波数チャネルを介して制御情報を受信することができる。
【００２７】
デジタルカメラ１０７はデジタル画像をキャプチャするように構成することができる。さらに詳細には、光学像を電気信号に変換するように光学センサ１３１を構成することができる。そしてデジタル信号プロセッサ１３３は、光学センサ１３１からの電気信号を処理して、デジタル画像を提供するように構成することができる。デジタル信号プロセッサ１３３及び／又は光学センサ１３１は、カメラ用クロック信号発生器１３５が発生するカメラ用クロック信号を用いて動作することができる。さらに詳細には、調整可能なクロック信号発生器１１３が発生する調整可能なクロック信号を用いて、カメラ用クロック信号発生器１３５によりカメラ用クロック信号を発生させて、このカメラ用クロック信号が上記調整可能なクロック信号の周波数の関数となるようにし、かつ、このカメラ用クロック信号の周波数が上記調整可能なクロック信号の周波数よりも大きくなるようにすることができる。従って、（中央演算処理装置１０３から調整可能なクロック信号発生器１１３へ提供される調整入力信号により制御可能な）上記調整可能なクロック信号におけるそれぞれ異なる複数の周波数は、結果的に、上記カメラ用クロック信号におけるそれぞれ異なる複数の対応した周波数となるようにすることができる。例えば、このカメラ用クロック信号は、ほぼ１桁大きい（またはそれ以上の大きさの）調整可能なクロック信号の周波数となる周波数を有することができる。例えば、この調整可能なクロック信号は、約１０ＭＨｚ〜約１５ＭＨｚの範囲の周波数を有することができ、そしてカメラ用クロック信号は、約９０ＭＨｚ〜約１１０ＭＨｚの範囲の周波数を有することができる。
【００２８】
デジタル信号プロセッサ１３３からのデジタル画像は、デジタルカメラ１０７内のメモリ及び／又は中央演算処理装置１０３内のメモリに格納することができる。上記方法に加えて、あるいは、代替の方法で、デジタル信号プロセッサ１３３からの及び／又はメモリからのデジタル画像を中央演算処理装置１０３により処理し、このデジタル画像を送信機１２１及びアンテナ１２５を用いてエアインタフェースを介して送信することができる。
【００２９】
カメラ用クロック信号発生器１３５により発生させたカメラ用クロック信号の高調波成分は、所定のエアインタフェースにおけるいくつかのダウンリンク周波数チャネルに干渉する場合がある。しかしながら、エアインタフェースのダウンリンク周波数チャネルのすべてが所定時に等しく受信される可能性があるというわけではない。本発明のいくつかの実施例によれば、中央演算処理装置１０３は、受信の可能性がより大きい複数のダウンリンク周波数チャネルのうちの少なくとも１つの周波数チャネルを決定するように構成することができ、そして、通信信号を受信する可能性がある複数のダウンリンク周波数チャネルのうちの少なくとも１つの周波数チャネルに関して、デジタルカメラ１０７からの（そして、特に、カメラ用クロック信号発生器１３５により発生させたカメラ用クロック信号からの）干渉を低減するために、調整可能なクロック信号発生器１１３に対して調整入力信号を発生するように中央演算処理装置１０３を構成することができる。
【００３０】
最初にスイッチが入ると、中央演算処理装置１０３及び／又は受信機１２３は、通信装置１０１が位置しているセルに対してサービスを提供する基地局（在圏基地局）により送信された制御周波数チャネルを求めてスキャンを行うことができる。この制御周波数チャネルが識別されるとすぐに、中央演算処理装置１０３は、上記識別された制御周波数チャネルに関して、（カメラ用クロック信号発生器１３５により発生させた）カメラ用クロック信号からの干渉を低減するように定めるために、調整可能なクロック信号発生器１１３に対して調整入力信号を発生することができる。さらに、上記制御周波数チャネルで提供される情報は、音声通信、テキストメッセージ通信、インターネットの閲覧などのために基地局により使用されるサブセットのダウンリンク周波数チャネルを識別することができる。従って、中央演算処理装置１０３は、調整可能なクロック信号発生器１１３に対して調整入力信号を発生させて、上記識別された制御周波数チャネル及び／又は受信機１２３で受信の可能性があるサブセットの別の識別されたダウンリンク周波数チャネルに関して、（カメラ用クロック信号発生器１３５により発生させた）カメラ用クロック信号からの干渉を低減するように定めることができる。
【００３１】
上記方法に加えて、あるいは、代替の方法で、基地局は、（無線電話による音声通信のような）通信が通信装置１０１と確立されると、受信機１２３が使用すべき特別のダウンリンク周波数チャネルを識別することができる。通信を確立する一方で、中央演算処理装置１０３は、調整可能なクロック信号発生器１１３に対して新しい（すなわち異なる）調整入力信号を発生させて、確立されている通信用の上記特別のダウンリンク周波数チャネルに関して、（カメラ用クロック信号発生器１３５により発生させた）カメラ用クロック信号からの干渉を低減するように定めることができる。通信が終了するとすぐに、中央演算処理装置１０３は、以前の調整入力信号を再び適用して、制御周波数チャネルに関する干渉を低減することができる。
【００３２】
通信装置１０１が第２の基地局によってサービスを受ける第２のセルへ移動すると、中央演算処理装置１０３及び／又は受信機１２３は、第２の基地局が送信する第２の制御周波数チャネルを求めてスキャンを行うことができる。第２の制御周波数チャネルが識別されるとすぐに、中央演算処理装置１０３は、調整可能なクロック信号発生器１１３に対して別の調整入力信号を発生させて、第２の基地局からの第２の制御周波数チャネルに関して、（カメラ用クロック信号発生器１３５により発生させた）カメラ用クロック信号からの干渉を低減するように定めることができる。さらに、第２の制御周波数チャネルで提供される情報によって、音声通信、テキストメッセージ通信、インターネットの閲覧などのために基地局が使用する第２のサブセットのダウンリンク周波数チャネルを識別することができる。従って、中央演算処理装置１０３は、調整可能なクロック信号発生器１１３に対して第２の調整入力信号を発生させて、上記第２の識別された制御周波数チャネル及び／又は、受信機１２３で受信の可能性がある第２のサブセットの識別されたダウンリンク周波数チャネルに関して、（カメラ用クロック信号発生器１３５により発生させた）カメラ用クロック信号からの干渉を低減するように定めることができる。
【００３３】
従って、（音声による無線電話通信、テキストメッセージセッション、ネットワーク閲覧セッションなどのような）通信セッションの開始及び終了時に、通信装置１０１が１つの基地局に対するサービスから別の基地局に対するサービスへ切り替わるとき、（カメラ用クロック信号発生器１３５により発生させた）カメラ用クロック信号の周波数が変化する場合がある。例えば、異なる調整入力信号、異なる調整可能なクロック信号周波数及び／又は異なるカメラ用クロック信号周波数を用いてデジタルカメラ１０７により発生される、エアインタフェースのダウンリンク周波数チャネルに対する干渉は特徴的なものとなることが考えられる。従って、ダウンリンク周波数チャネル干渉に関する調整入力信号の相関関係を表すテーブルを提供してもよく、この場合、中央演算処理装置１０３は、受信機１２３で通信信号を受信する可能性がある（単数又は複数の）周波数チャネルの決定に応じて、このテーブルを用いて適切な調整入力信号を提供することができるようになる。従って、受信機１２３の動作に関してデジタルカメラ１０７からの干渉を低減することが可能となる。
【００３４】
ダウンリンク周波数帯域でデジタルカメラ１０７から生じる干渉を調整させて、通信装置が現在使用している（あるいは使用する可能性がある）ダウンリンク周波数チャネルに関して干渉を低減することができる。換言すれば、通信装置が現在使用していない（あるいは使用する可能性がない）ダウンリンク周波数帯域でデジタルカメラ１０７から生じる干渉をダウンリンク周波数チャネルに調整させることができる。
【００３５】
上述のように、調整可能なクロック信号発生器１１３は電圧制御発振器（ＶＣＯ）であってもよい。さらに詳細には、この調整可能なクロック信号発生器１１３は電圧制御水晶発振器（ＶＣＸＯ）であってもよい。そして、ＶＣＸＯが発生する調整可能なクロック信号の周波数を制御して、異なる周波数に対応した異なる電圧レベルで調整入力信号を提供することができる。例えば、中央演算処理装置１０３に含まれるデジタルアナログ変換器（ＤＡＣ）により調整入力信号を発生させ、ＤＡＣへの異なるデジタル入力を用いて、調整可能なクロック信号のための対応した異なる周波数と、カメラ用クロック信号のための対応した異なる周波数とを提供することができる。
【００３６】
調整可能なクロック信号発生器１１３がデジタルカメラ１０７と、カメラ用クロック信号発生器１３５とから分離された形で示されているが、デジタルカメラ１０７及び／又はカメラ用クロック信号発生器１３５の構成要素として、調整可能なクロック信号発生器１１３を含むようにしてもよい。従って、分離された調整可能なクロック信号発生器及びカメラ用クロック信号発生器を不要とすることが可能となる。１つの代替例では、カメラ用クロック信号発生器１３５と調整可能なクロック信号発生器１１３双方の機能をデジタルカメラ１０７の外部に設けてもよいし、及び／又は、これらの機能を組み合わせてもよい。
【００３７】
図２は、本発明の実施例に従う通信装置の動作を示すフローチャートである。ブロック２０１で、中央演算処理装置１０３及び／又は受信機１２３は、通信信号を受信する可能性がある（ダウンリンク制御周波数チャネルのような）１つ又は複数の周波数チャネルを決定することができる。例えば、通信装置が位置しているセルにサービスを提供しているネットワーク基地局によって周波数チャネル情報を提供することができる。
【００３８】
ブロック２０３で、通信信号を受信する可能性がある（単数又は複数の）周波数チャネルに基づいて決定される調整可能なクロック信号の周波数を用いて、調整可能なクロック信号を発生することができる。ブロック２０５で、この調整可能なクロック信号を用いてデジタルカメラ１０７の動作は継続することができる。上述のように、カメラ用クロック信号の周波数を調整可能なクロック信号の関数にし、そして、カメラ用クロック信号の周波数を調整可能なクロック信号の周波数よりも大きくして、デジタルカメラ内でカメラ用クロック信号を発生させることができる。通信信号を受信する可能性がある（単数又は複数の）周波数チャネルの決定に応じて、調整可能なクロック信号を発生させることにより、通信装置で受信される通信に関してデジタルカメラからの干渉を低減することが可能となる。
【００３９】
ブロック２０７で、通信装置で受信した通信のために使用される可能性がある周波数チャネルの変化に対して通信装置を監視することができる。例えば、通信装置が新しい基地局によりサービスを受ける新しいセルへ移動したとき、及び／又は、特別のダウンリンク周波数チャネルが通信装置に対する通信セッション用として割り当てられたとき、変化が生じる可能性がある。変化が生じない限り、デジタルカメラは、同じ調整可能なクロック信号周波数を用いて動作を続けることができる。ブロック２０７で変化が生じたとき、ブロック２０３で新しい周波数を用いて調整可能なクロック信号を発生させることができ、デジタルカメラの動作は、この新しい周波数で上記調整可能なクロック信号を用いてブロック２０５で進行することができる。
【００４０】
従って、デジタルカメラは、異なる時刻に異なる周波数で動作して、異なる時刻に受信の可能性がある特定の周波数チャネルに対して干渉を低減することが可能となる。このようにして、干渉を低減した状態で無線電話による音声通信中にデジタルカメラの使用が可能となる。さらに、デジタルカメラの使用中に生じる電話の着信要求、着信テキストメッセージなどが紛失する可能性を小さくすることができる。
【００４１】
以上、図面及び明細書で本発明の複数の実施例を開示した。これらの実施例では特定の用語が使用されているが、これらの用語は単に一般的かつ説明的な意味合いで使用されたものであって、本発明の範囲の限定を意図したものではない。本発明の範囲は特許請求の範囲に記載されている。
【図面の簡単な説明】
【００４２】
【図１】本発明の実施例に準拠する通信装置を示すブロック図である。
【図２】本発明の実施例に準拠する通信装置の動作を示すフローチャートである。
【図１】
2009500930.tif 000003
【図２】
2009500930.tif 000004
【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
通信装置であって、
複数の周波数チャネルを用いて、エアインタフェースを介して通信信号を受信するように構成された受信機と、
調整入力信号に応じて変動する周波数を有する調整可能なクロック信号を発生するように構成された調整可能なクロック信号発生器と、
デジタル画像をキャプチャするように構成されたデジタルカメラであって、前記調整可能なクロック信号に応じて動作するように構成されたデジタルカメラと、
前記受信機と、前記調整可能なクロック信号発生器と、前記デジタルカメラとに結合されたプロセッサと、
を含む通信装置であって、
前記プロセッサは、通信信号を受信する可能性がある前記複数の周波数チャネルからなるサブセットを決定するように構成され、かつ、通信信号を受信する可能性がある前記複数の周波数チャネルからなる前記サブセットの決定に応じて、前記調整可能なクロック信号発生器に対して前記調整入力信号を発生するように構成されており、前記サブセットには、少なくとも２つの周波数チャネルが含まれていることを特徴とする通信装置。
【請求項２】
前記調整可能なクロック信号発生器は電圧制御発振器を備えていることを特徴とする請求項１に記載の通信装置。
【請求項３】
前記プロセッサは、前記複数の周波数チャネルの前記サブセットを示す識別子を、前記受信機を介して基地局から受信するように構成されていることを特徴とする請求項１又は２に記載の通信装置。
【請求項４】
前記プロセッサは、通信信号を受信する可能性がある前記複数の周波数チャネルの前記サブセットに関して前記デジタルカメラからの干渉を低減するために、前記調整可能なクロック信号発生器に対して前記調整入力信号を発生するように構成されていることを特徴とする請求項１ないし３のいずれか１項に記載の通信装置。
【請求項５】
前記プロセッサは、第１の時刻に通信信号を受信する可能性がある複数の周波数チャネルからなる第１サブセットを決定するように構成され、かつ、該第１サブセットの決定に応じて、前記調整可能なクロック信号発生器に対して第１の調整入力信号を発生するように構成され、さらに、第２の時刻に通信信号を受信する可能性がある複数の周波数チャネルからなる第２サブセットを決定するように構成され、該第２サブセットの決定に応じて、前記調整可能なクロック信号発生器に対して第２の調整入力信号を発生するように構成された通信装置であって、前記第１及び第２サブセットは異なるものであり、かつ、前記第１及び第２の調整入力信号は異なるものであり、さらに、前記第１及び第２サブセットはそれぞれ少なくとも２つの周波数チャネルを含むことを特徴とする請求項１ないし４のいずれか１項に記載の通信装置。
【請求項６】
複数の周波数チャネルからなる前記第１サブセットは前記受信機を通じて第１の基地局から受信され、複数の周波数チャネルからなる前記第２サブセットは前記受信機を通じて、前記第１の基地局とは異なる第２の基地局から受信されることを特徴とする請求項５に記載の通信装置。
【請求項７】
前記調整可能なクロック信号発生器は、第１の周波数を有する第１の調整可能なクロック信号を前記第１の調整入力信号に応じて発生するように構成され、かつ、第２の周波数を有する第２の調整可能なクロック信号を前記第２の調整入力信号に応じて発生するように構成されており、さらに、前記第１及び第２の周波数は異なるものであることを特徴とする請求項５又は６に記載の通信装置。
【請求項８】
前記デジタルカメラは、前記調整可能なクロック信号に応じてカメラ用クロック信号を発生するように構成されるカメラ用クロック信号発生器を含むことを特徴とする請求項１ないし７のいずれか１項に記載の通信装置。
【請求項９】
前記カメラ用クロック信号発生器は位相ロックループ（ＰＬＬ）を備えることを特徴とする請求項８に記載の通信装置。
【請求項１０】
前記カメラ用クロック信号の周波数は、前記調整可能なクロック信号の周波数よりも大きいことを特徴とする請求項８又は９に記載の通信装置。
【請求項１１】
前記デジタルカメラは、前記クロック信号発生器に結合されたデジタル信号プロセッサと、該デジタル信号プロセッサに結合された光学センサとを含み、該光学センサは、光学像を電気信号に変換するように構成され、かつ、前記デジタル信号プロセッサは、前記カメラ用クロック信号を用いて前記電気信号を処理するように構成されていることを特徴とする請求項８ないし１０のいずれか１項に記載の通信装置。
【請求項１２】
前記プロセッサに結合された送信機をさらに備えた通信装置であって、
前記送信機は、前記エアインタフェースを介して通信信号を送信するように構成され、かつ、前記プロセッサは、前記エアインタフェースを介して送受信される前記通信を処理するように構成されていることを特徴とする請求項１ないし１１のいずれか１項に記載の通信装置。
【請求項１３】
デジタル画像をキャプチャするように構成されたデジタルカメラと、複数の周波数帯域を用いてエアインタフェースを介して通信信号を受信するように構成された受信機とを含む通信装置を動作させる方法であって、
前記方法は、
通信信号を受信する可能性がある前記複数の周波数チャネルからなるサブセットを決定するステップと、
通信信号を受信する可能性がある前記複数の周波数チャネルからなるサブセットの決定に応じて調整可能なクロック信号を発生するステップと、
前記調整可能なクロック信号を用いて前記デジタルカメラを動作させるステップと、
を含み、
前記サブセットには少なくとも２つの周波数チャネルが含まれていることを特徴とする方法。
【請求項１４】
前記調整可能なクロック信号を発生するステップは、
調整可能なクロック信号入力を発生するステップと、
調整可能なクロック信号入力を電圧制御発振器へ供給するステップと
を含むことを特徴とする請求項１３に記載の方法。
【請求項１５】
通信信号を受信する可能性がある前記複数の周波数チャネルからなるサブセットを決定するステップは、前記複数の周波数チャネルからなる前記サブセットを示す識別子を、前記受信機を介して基地局から受信するステップを含むことを特徴とする請求項１３又は１４に記載の方法。
【請求項１６】
前記調整可能なクロック信号を発生するステップは、通信信号を受信する可能性がある前記複数の周波数チャネルからなる前記サブセットに関して前記デジタルカメラからの干渉を低減するために前記調整可能なクロック信号を発生するステップを備えることを特徴とする請求項１３ないし１５のいずれか１項に記載の方法。
【請求項１７】
前記複数の周波数チャネルからなるサブセットを決定するステップは、
第１の時刻に通信信号を受信する可能性がある周波数チャネルからなる第１サブセットを決定するステップと、
第２の時刻に通信信号を受信する可能性がある周波数チャネルからなる第２サブセットを決定するステップと
を備え、
前記調整可能なクロック信号を発生するステップは、
第１の周波数を有する第１の調整可能なクロック信号を前記第１の時刻に発生するステップと、
第２の周波数を有する第２の調整可能なクロック信号を前記第２の時刻に発生するステップと
を備え、
前記第１及び第２サブセットは異なるものであり、前記第１及び第２の調整入力は異なるものであり、かつ、前記第１及び第２サブセットはそれぞれ少なくとも２つの周波数チャネルを含むことを特徴とする請求項１３ないし１６のいずれか１項に記載の方法。
【請求項１８】
複数の周波数チャネルからなる前記第１サブセットは前記受信機を通じて第１の基地局から受信され、複数の周波数チャネルからなる前記第２サブセットは前記受信機を通じて、前記第１の基地局とは異なる第２の基地局から受信されることを特徴とする請求項１７に記載の方法。
【請求項１９】
前記調整可能なクロック信号発生器は、第１の周波数を有する第１の調整可能なクロック信号を前記第１の調整入力信号に応じて発生するように構成され、かつ、第２の周波数を有する第２の調整可能なクロック信号を前記第２の調整入力信号に応じて発生するように構成されており、さらに、前記第１及び第２の周波数は異なるものであることを特徴とする請求項１７又は１８に記載の方法。
【請求項２０】
前記デジタルカメラを動作させるステップは、前記調整可能なクロック信号に応じてカメラ用クロック信号を発生するステップを備えていることを特徴とする請求項１３ないし１９のいずれか１項に記載の方法。
【請求項２１】
前記カメラ用クロック信号を発生するステップは、位相ロックループ（ＰＬＬ）を用いてカメラ用クロック信号を発生するステップを備えていることを特徴とする請求項２０に記載の方法。
【請求項２２】
前記カメラ用クロック信号の周波数は、前記調整可能なクロック信号の周波数よりも大きいものであることを特徴とする請求項２０又は２１に記載の方法。
【請求項２３】
前記デジタルカメラを動作させるステップは、光学像を電気信号に変換し、前記カメラ用クロック信号を用いて前記電気信号を処理するステップを備えていることを特徴とする請求項２０ないし２２のいずれか１項に記載の方法。
【請求項２４】
前記エアインタフェースを介して通信信号を送信するステップをさらに含むことを特徴とする請求項１３ないし２１のいずれか１項に記載の方法。
【国際調査報告】
2009500930.tif 000005
2009500930.tif 000006
2009500930.tif 000007